(57)【特許請求の範囲】
【請求項１】
入力端子から入力され出力端子から出力される電源電流の通路である電源電流路に接続された第１のＭＯＳトランジスタと、
前記第１のＭＯＳトランジスタを制御することにより、前記出力端子から出力される電圧を一定に保つレギュレータ制御回路と、
前記電源電流路のうちの前記入力端子から前記第１のＭＯＳトランジスタまでの間に配置され、ボディダイオードの電流通過方向が前記第１のＭＯＳトランジスタのボディダイオードの電流通過方向とは逆向きとなるように、前記電源電流路に接続された第２のＭＯＳトランジスタと、
前記第２のＭＯＳトランジスタを制御するスイッチ制御回路と、
を備え、
前記スイッチ制御回路が、
前記入力端子から前記第１のＭＯＳトランジスタまでの前記電源電流路に接続される第１のコンパレータ入力端子と、前記第１のＭＯＳトランジスタから前記出力端子までの前記電源電流路に接続される第２のコンパレータ入力端子と、前記第２のＭＯＳトランジスタのゲート端子に接続されるコンパレータ出力端子と、を備えるコンパレータと、
一端が前記コンパレータ出力端子に接続され、他端が前記第１のＭＯＳトランジスタから前記第２のＭＯＳトランジスタまでの前記電源電流路及び前記第２のＭＯＳトランジスタのゲート端子に接続される抵抗と、を備える、
レギュレータ回路。
【請求項２】
前記コンパレータは、
前記第１のコンパレータ入力端子に入力される第１の入力電圧と前記第２のコンパレータ入力端子に入力される第２の入力電圧との比較結果に基づいて、前記第２のＭＯＳトランジスタをスイッチＯＦＦまたはスイッチＯＮする請求項１に記載のレギュレータ回路。
【請求項３】
前記第１のコンパレータ入力端子は、前記第２のＭＯＳトランジスタから前記第１のＭＯＳトランジスタまでの間の前記電源電流路に接続されており、
前記コンパレータは、前記第１の入力電圧が前記第２の入力電圧より低くなった場合に、前記第２のＭＯＳトランジスタをスイッチＯＦＦする、
請求項２に記載のレギュレータ回路。
【請求項４】
前記電源電流路に流れる電流を検出する電流検出回路、を備え、
前記スイッチ制御回路は、前記電流検出回路の検出結果に基づいて前記第２のＭＯＳトランジスタをスイッチＯＦＦまたはスイッチＯＮする、
請求項１に記載のレギュレータ回路。
【請求項５】
前記電流検出回路は、前記電源電流路に流れる電流の逆流を検出し、
前記スイッチ制御回路は、前記電流検出回路が電流の逆流を検出した場合に、前記第２のＭＯＳトランジスタをスイッチＯＦＦする、
請求項４に記載のレギュレータ回路。
【請求項６】
前記電流検出回路は、前記電源電流路に流れる順方向電流が予め設定された大きさ以下となったことを検出する回路であり、
前記スイッチ制御回路は、前記順方向電流が予め設定された大きさ以下となったことを前記電流検出回路が検出した場合に、前記第２のＭＯＳトランジスタをスイッチＯＦＦする、
請求項４に記載のレギュレータ回路。
【発明の詳細な説明】
【技術分野】
【０００１】
本発明の実施態様は、レギュレータ回路に関する。
【背景技術】
【０００２】
リニアレギュレータの一種としてシリーズレギュレータが知られている。シリーズレギュレータは、入力端子と出力端子との間の電流路に制御トランジスタが設けられ、制御回路がこの制御トランジスタを制御することにより、出力電圧を一定に保つ。一般的に、制御トランジスタには、ＭＯＳトランジスタが使用される。
【先行技術文献】
【特許文献】
【０００３】
【特許文献１】特開平１０−３４１１４１号公報
【特許文献２】特開平０４−１１６７０８号公報
【特許文献３】特開２００５−１６５７１６号公報
【発明の概要】
【発明が解決しようとする課題】
【０００４】
電源切断時等、レギュレータの入力端子電圧が出力端子電圧より低くなることがある。ＭＯＳトランジスタは、その構造上、ボディダイオードを有している。制御トランジスタにＭＯＳトランジスタを使用した場合、電源切断時等に、ボディダイオードを経由して、出力端子から入力端子に電流が逆流する。
【０００５】
本発明が解決しようとする課題は、電流の逆流が少ないレギュレータ回路を提供することである。
【課題を解決するための手段】
【０００６】
上記課題を達成するために、実施形態のレギュレータ回路は、電源電流路に接続された第１のＭＯＳトランジスタと、第１のＭＯＳトランジスタを制御することにより出力電圧を一定に保つレギュレータ制御回路と、電源電流路のうちの入力端子から第１のＭＯＳトランジスタまでの間に配置された第２のＭＯＳトランジスタと、第２のＭＯＳトランジスタを制御するスイッチ制御回路と、を備える。第２のＭＯＳトランジスタは、ボディダイオードの電流通過方向が第１のＭＯＳトランジスタのボディダイオードの電流通過方向とは逆向きとなるように、電源電流路に接続されている。スイッチ制御回路は、コンパレータと、抵抗と、を備える。コンパレータは、入力端子から第１のＭＯＳトランジスタまでの電源電流路に接続される第１のコンパレータ入力端子と、第１のＭＯＳトランジスタから出力端子までの電源電流路に接続される第２のコンパレータ入力端子と、第２のＭＯＳトランジスタのゲート端子に接続されるコンパレータ出力端子と、を備える。抵抗の一端はコンパレータ出力端子に接続され、抵抗の他端は第１のＭＯＳトランジスタから第２のＭＯＳトランジスタまでの電源電流路及び前記第２のＭＯＳトランジスタのゲート端子に接続される。
【図面の簡単な説明】
【０００７】
【図１】制御トランジスタにＰｃｈＭＯＳＦＥＴを使用したレギュレータ回路を示す図である。
【図２】実施形態１のレギュレータ回路を示す図である。
【図３】図２に示すレギュレータ回路の具体的な回路構成例である。
【図４】図２に示すレギュレータ回路のその他の回路構成例である。
【図５】図２に示すレギュレータ回路のその他の回路構成例である。
【図６】図２に示すレギュレータ回路のその他の回路構成例である。
【図７】実施形態２のレギュレータ回路を示す図である。
【図８】図７に示すレギュレータ回路の具体的な回路構成例である。
【図９】図７に示すレギュレータ回路のその他の回路構成例である。
【図１０】図７に示すレギュレータ回路のその他の回路構成例である。
【図１１】図７に示すレギュレータ回路のその他の回路構成例である。
【図１２】実施形態３のレギュレータ回路を示す図である。
【図１３】図１２に示すレギュレータ回路の具体的な回路構成例である。
【図１４】図１２に示すレギュレータ回路のその他の回路構成例である。
【図１５】図１２に示すレギュレータ回路の具体的な回路構成例である。
【図１６】図１２に示すレギュレータ回路の具体的な回路構成例である。
【図１７】実施形態１のレギュレータ回路の変形例を示す図である。
【図１８】実施形態２のレギュレータ回路の変形例を示す図である。
【図１９】実施形態３のレギュレータ回路の変形例を示す図である。
【発明を実施するための形態】
【０００８】
以下、本実施形態について図面を参照しながら説明する。なお、図中、同一または同等の部分には同一の符号を付す。
【０００９】
（実施形態１）
図１は、実施形態１のレギュレータ回路を示す図である。レギュレータ回路１は、制御トランジスタにＭＯＳＦＥＴ（Metal-Oxide Silicon Field-Effect Transmitter）を使用したシリーズレギュレータである。レギュレータ回路１は、例えば、車載用のレギュレータである。レギュレータ回路１の入力端子Ｖｉｎには、バッテリや発電機等の電力源が接続され、出力端子Ｖｏｕｔには、ドライブレコーダやカーナビゲーション等の車載機器が接続される。
【００１０】
図１は、制御トランジスタにＰｃｈＭＯＳＦＥＴを使用した例である。ＭＯＳトランジスタＭ１は、ドレインからソースに向けて電流を流すボディダイオードｂ１を有するＰｃｈＭＯＳＦＥＴである。エンジンの停止等によりレギュレータ回路１への電力供給が停止されると、入力端子ＩＮの電圧が出力端子ＯＵＴの電圧より低くなり、ボディダイオードｂ１を経由して電流が逆流する。この場合、コンデンサＣ０等に蓄積されていた電荷がレギュレータ回路１を通じて放出されるので、出力端子ＯＵＴの電圧は急速に低下する。車載機器は、エンジン停止後の電圧低下期間を利用して機器終了動作を行うことがある。しかし、電圧が急速に低下すると、車載機器は、電圧低下期間を利用して機器の終了動作を行うことができない。例えば、車載機器がドライブレコーダであったとすると、ドライブレコーダは、映像ファイルの保存を完了する前に、動作を終了することになる。
【００１１】
この電流の逆流は、入力端子ＩＮとソース端子Ｓ１との間に逆流防止用のダイオードを配置することで防止できる。しかしながら、この場合、ＭＯＳトランジスタＭ１に到達する電圧は常時、順方向電圧分、低下したものとなる。この電圧の降下は、レギュレータ回路を含めた製品全体の最低動作電圧を上昇させる。これは、消費エネルギーの増加や製品コストの増加をもたらす。
【００１２】
特に、アイドリングストップ機能を備えた車は、エンジンが頻繁に再起動し、電力が大きく消費されるので、常にバッテリ電圧が低下しやすい状況にある。そのため、最低動作電圧が高いと、エンジン再起動時に電圧不足で車載機器が停止したり、エンジンが再起動できなかったり、といった問題が起こり易くなる。
【００１３】
そこで、本実施形態のレギュレータ回路１では、図２に示すように、入力端子ＩＮとＭＯＳトランジスタＭ１との間にＭＯＳトランジスタＭ２を配置する。ＭＯＳトランジスタＭ２は、ボディダイオードｂ２を介して電流が逆流しないように、ＭＯＳトランジスタＭ１の向きとは反対向きに接続する。そして、ＭＯＳＦＥＴトランジスタＭ２は、電流が逆流していない時はスイッチＯＮし、電流が逆流している時はスイッチＯＦＦする。これにより、レギュレータ回路１は、電流の逆流を抑えつつ、回路内部で無駄に大きな電圧降下を起こさない。
【００１４】
なお、一般的に、ＭＯＳＦＥＴのボディダイオードは回路図に示さない。しかし、本実施形態では、逆流電流の流れを理解容易にするため、あえて、ボディダイオードを図示することとする。以下、実施形態１のレギュレータ回路１について、図３を参照しながら詳細に説明する。
【００１５】
（実施形態１の具体例１）
図３は、図２のレギュレータ回路１の具体的な回路構成例である。レギュレータ回路１は、ＭＯＳトランジスタＭ１と、ＭＯＳトランジスタＭ２と、レギュレータ制御回路１０と、スイッチ制御回路２０と、を備える。また、レギュレータ回路１は、入力端子ＩＮと、出力端子ＯＵＴと、を備える。入力端子ＩＮと出力端子ＯＵＴとの間には、Ｌ１〜Ｌ３の符号で示す電流路が形成されている。Ｌ１〜Ｌ３は、入力端子ＩＮから入力され、出力端子ＯＵＴから出力される電源電流の通路である。ここで、「電源電流」とは、バッテリ、発電機等の電力源から入力され、車載機器等の接続機器に出力される電流のことである。なお、以下の説明では、この電流路を、他の電流路と区別するために、電源電流路と呼ぶ。
【００１６】
ＭＯＳトランジスタＭ１は、ソース端子Ｓ１と、ドレイン端子Ｄ１と、ゲート端子Ｇ１と、を有するエンハンスメント型のＰｃｈＭＯＳＦＥＴである。ＭＯＳトランジスタＭ１は、電源電流路に接続されている。具体的には、ソース端子Ｓ１は、電源電流路Ｌ２を介して、ＭＯＳトランジスタＭ２のソース端子Ｓ２と接続さている。ドレイン端子Ｄ１は、電源電流路Ｌ３を介して、出力端子ＯＵＴと接続されている。また、ゲート端子Ｇ１は、レギュレータ制御回路１０の出力と接続されている。なお、ＭＯＳトランジスタＭ１はＮｃｈＭＯＳＦＥＴであってもよい。この場合、ソース端子Ｓ１は電源電流路Ｌ３に接続され、ドレイン端子Ｄ１は電源電流路Ｌ２に接続される。
【００１７】
ＭＯＳトランジスタＭ２は、ソース端子Ｓ２と、ドレイン端子Ｄ２と、ゲート端子Ｇ２と、を有するエンハンスメント型のＰｃｈＭＯＳＦＥＴである。また、ＭＯＳトランジスタＭ２は、ボディダイオードｂ２を有している。ボディダイオードは、寄生ダイオードとも呼ばれ、ＭＯＳトランジスタの構造上形成されるものである。ＰｃｈＭＯＳＦＥＴの場合、ドレインからソースに向けて電流が流れるボディダイオードが形成される。
【００１８】
ＭＯＳトランジスタＭ２は、ボディダイオードｂ２の電流通過方向がＭＯＳトランジスタＭ１のボディダイオードｂ１の電流通過方向とは逆向きとなるように、電源電流路に配置される。具体的には、ＭＯＳトランジスタＭ２は、ボディダイオードｂ２のカソード側（Ｎｃｈ半導体側）がＭＯＳトランジスタＭ１側となるように、電源電流路に配置される。そのため、ボディダイオードｂ２のカソード側がＭＯＳトランジスタＭ１側となるように、ソース端子Ｓ２は電源電流路Ｌ２と接続され、ドレイン端子Ｄ２は電源電流路Ｌ１と接続される。ゲート端子Ｇ２は、スイッチ制御回路２０の出力と接続される。なお、ＭＯＳトランジスタＭ２がＮｃｈＭＯＳＦＥＴの場合は、ソース端子Ｓ２は電源電流路Ｌ１に接続され、ドレイン端子Ｄ２は電源電流路Ｌ２に接続される。
【００１９】
レギュレータ制御回路１０は、ＭＯＳトランジスタＭ１を制御する。レギュレータ制御回路１０は、抵抗Ｒ１と、抵抗Ｒ２と、増幅器１１と、を備える。抵抗Ｒ１と抵抗Ｒ２は、出力電圧Ｖｏｕｔを分圧する抵抗である。抵抗Ｒ１と抵抗Ｒ２で分圧された電圧は、帰還電圧Ｖｆｂとして、増幅器１１のプラス端子に入力される。
【００２０】
増幅器１１は、ＭＯＳトランジスタＭ１を制御する。増幅器１１のマイナス端子には、基準電圧Ｖｒｅｆが入力され、プラス端子には、帰還電圧Ｖｆｂが入力される。そして、増幅器１１は、プラス端子に入力された電圧とマイナス端子に入力された電圧との差分を増幅し、増幅した電圧をゲート端子Ｇ１に出力する。ＭＯＳトランジスタＭ１は、ゲート端子Ｇ１に入力された電圧に基づいて、ソース−ドレイン間を通過する電流を調整する。これにより、出力端子ＯＵＴから出力される電圧Ｖｏｕｔは一定に保たれる。なお、この回路の場合、出力端子ＯＵＴからはＶｒｅｆ＊（Ｒ１＋Ｒ２）／Ｒ１の電圧が出力される。
【００２１】
スイッチ制御回路２０は、電流の逆流を抑制制御する。スイッチ制御回路２０は、入力電圧Ｖｉｎが出力電圧Ｖｏｕｔより低くなった場合に、電源電流路に流れる電流が逆流状態となったものとして、ＭＯＳトランジスタＭ２をスイッチＯＦＦする。スイッチ制御回路２０は、抵抗Ｒ３と、ツェナーダイオードＺ１と、コンパレータ２１と、を備える。抵抗Ｒ３の一端はソース端子Ｓ２に接続されており、他端はゲート端子Ｇ２に接続されている。同様に、ツェナーダイオードＺ１のカソードはソース端子Ｓ２に接続されており、アノードはゲート端子Ｇ２に接続されている。
【００２２】
コンパレータ２１は、ＭＯＳトランジスタＭ２を制御する電圧を比較する。コンパレータ２１は、反転入力端子（以下、「マイナス端子」という。）と、非反転入力端子（以下、「プラス端子」という。）と、出力端子と、を有している。マイナス端子は、電源電流路Ｌ１に接続されており、プラス端子は、電源電流路Ｌ３に接続されている。また、出力端子は、ゲート端子Ｇ２に接続されている。電源電流路Ｌ１は、入力端子ＩＮから出力端子ＯＵＴまでの電源電流路のうち、入力端子ＩＮからＭＯＳトランジスタＭ２までの電流路である。また、電源電流路Ｌ３は、入力端子ＩＮから出力端子ＯＵＴまでの電源電流路のうち、ＭＯＳトランジスタＭ１から出力端子ＯＵＴまでの電流路である。
【００２３】
また、コンパレータ２１は、電流源としての機能を有している。コンパレータ２１は、マイナス端子に印加される電圧Ｖｉｎが、プラス端子に印加される電圧Ｖｏｕｔより低くなると、電源電流路に電流の逆流が発生したものとして、電流Ｉ１の出力を停止する。また、コンパレータ２１は、マイナス端子に入力された電圧Ｖｉｎが、プラス端子に入力された電圧Ｖｏｕｔより高くなると、電流Ｉ１を出力する。なお、ＭＯＳトランジスタＭ２はＰｃｈＭＯＳＦＥＴであるので、コンパレータ２１がＭＯＳトランジスタＭ２のドレイン−ソース間を接続するためには、コンパレータ２１はゲート端子Ｇ２にマイナスの電圧を印加する必要がある。そのため、コンパレータ２１が出力する電流Ｉ１は、マイナスの電流である。なお、ＭＯＳトランジスタＭ２がＮｃｈＭＯＳＦＥＴの場合、ドレイン−ソース間を接続するためには、電流Ｉ１はプラスの電流である必要がある。
【００２４】
次にこのような構成を有するレギュレータ回路１の動作を説明する。
入力端子ＩＮに電源電圧が印加される前は、いずれのＭＯＳトランジスタもソース−ゲート間に電圧差はない。そのため、ＭＯＳトランジスタＭ１とＭＯＳトランジスタＭ２は、両方ともＯＦＦ状態である。
【００２５】
しかし、入力端子ＩＮに電源電圧が印加されると、入力端子ＩＮの電圧Ｖｉｎは、出力端子ＯＵＴの電圧Ｖｏｕｔより高くなる。そうなると、コンパレータ２１のマイナス端子電圧はプラス端子電圧より高くなるので、コンパレータ２１はマイナスの電流Ｉ１を出力する。そうすると、ゲート端子Ｇ２にマイナスの電圧が印加されるので、ＭＯＳトランジスタＭ２はスイッチＯＮとなる。これにより、ＭＯＳトランジスタＭ２のソース―ドレイン間が接続されるので、入力端子ＩＮとＭＯＳトランジスタＭ１との間で大きな電圧降下は起こらない。
【００２６】
この状態で、増幅器１１は、ゲート端子Ｇ１に電圧を印加する。増幅器１１がゲート端子Ｇ１に印加する電圧は、帰還電圧Ｖｆｂと基準電圧Ｖｒｅｆの差分電圧を予め設定された増幅率で増幅した電圧である。これにより、出力電圧Ｖｏｕｔは、Ｖｒｅｆ＊（Ｒ１＋Ｒ２）／Ｒ１に保たれる。
【００２７】
一方、エンジンの停止等により、入力端子ＩＮへの電源電圧の印加が停止されると、入力電圧Ｖｉｎは出力電圧Ｖｏｕｔより低くなる。そうなると、電源電流路に流れる電流は、ボディダイオードｂ１を介して逆流する。しかし、この場合、コンパレータ２１のマイナス端子の電圧Ｖｉｎもプラス端子の電圧Ｖｏｕｔより低くなるので、コンパレータ２１は電流出力を停止する。すると、ゲート端子Ｇ２の電圧は上昇するので、ＭＯＳトランジスタＭ２はスイッチＯＦＦとなる。このとき、ボディダイオードｂ２が逆流防止ダイオードとして機能するので、電源電流路の電流は逆流しない。その結果、出力電圧Ｖｏｕｔが急速に低下することがなくなるので、車載機器は電圧低下期間を利用して終了動作を行うことができる。
【００２８】
本実施形態によれば、入力端子ＩＮとＭＯＳトランジスタＭ１との間に、ボディダイオードｂ２の向きがボディダイオードｂ１の向きとは逆向きとなるように、ＭＯＳトランジスタＭ２を配置している。そして、入力電圧Ｖｉｎが出力電圧Ｖｏｕｔより低くなった時にスイッチ制御回路２０がＭＯＳトランジスタＭ２をスイッチＯＦＦするので、電源切断時等に発生する電流の逆流は少ない。しかも、出力電圧Ｖｏｕｔから一定電圧が出力される通常動作時には、スイッチ制御回路２０はＭＯＳトランジスタＭ２をスイッチＯＮするので、レギュレータ回路１は、無駄に回路内部で大きな電圧降下を起こさない。
【００２９】
なお、具体例１では、コンパレータ２１は、電流の逆流を検出した後にＭＯＳトランジスタＭ２をスイッチＯＦＦした。そのため、具体例１の場合、レギュレータ回路１は、電源切断直後、電流をしばらく逆流させることになる。このとき発生する逆流電流は、数アンペアに達することもある。
【００３０】
一般的に、レギュレータ回路１は、出力端子ＯＵＴ側に、容量若しくは容量を有する機器が接続される。図３では、その容量をコンデンサＣ０で示している。ＥＳＲ（Equivalent Series Resistance：等価直列抵抗）及びＥＳＬ（Equivalent Series Inductance：等価直列インダクタンス）が無いコンデンサが理想であるが、現実には、全てのコンデンサはＥＳＲ及びＥＳＬを有している。同様に、レギュレータ回路１の内部及び外部の配線も、僅かではあるが、ＥＳＲ及びＥＳＬを有している。そのため、電流が逆流した後にＭＯＳトランジスタＭ２をスイッチＯＦＦすると、ＥＳＬによって、電流路に逆起電圧が発生することになる。この逆起電圧は出力電圧Ｖｏｕｔにオーバーシュートを発生させることがある。オーバーシュートは、最悪の場合、出力端子ＯＵＴに接続された接続機器を破壊する。
【００３１】
そこで、コンパレータ２１は、入力電圧Ｖｉｎが出力電圧Ｖｏｕｔより低くなったタイミングではなく、入力電圧Ｖｉｎが出力電圧Ｖｏｕｔとは異なる第３の電圧より低くなったタイミングでＭＯＳトランジスタＭ２をスイッチＯＦＦする。第３の電圧は、出力電圧Ｖｏｕｔより設定電圧Ｖａ分高い電圧である。設定電圧Ｖａは製造時等に予め決定される。設定電圧Ｖａは、例えば１０ｍＶより大きな電圧である。設定電圧Ｖａは、１００ｍＶより大きな電圧であってもよい。これにより、レギュレータ回路１は、電流逆流後ではなく、電流が逆流する前の逆流直前状態（例えば、入力電圧Ｖｉｎから設定電圧Ｖａを減じた電圧が出力電圧Ｖｏｕｔより低い状態）でＭＯＳトランジスタＭ２をスイッチＯＦＦできるので、出力電圧Ｖｏｕｔに発生するオーバーシュートを抑制できる。
【００３２】
（実施形態１の具体例２）
図４は、実施形態１のその他の回路構成例である。図３のレギュレータ回路１とは、コンパレータ２１の出力端子とゲート端子Ｇ２との間に抵抗Ｒ４が設けられている点が異なっている。この抵抗Ｒ４は、ゲート端子Ｇ２に印加される電圧の立ち上がり及び立ち下がりを鈍らせためのものである。その他の構成は、図３に示す具体例１と同じであるので説明を省略する。
【００３３】
本実施形態によれば、抵抗Ｒ４によりゲート端子Ｇ２に印加される電圧の立ち上がり及び立ち下がりが緩やかになるので、ＭＯＳトランジスタＭ２のスイッチＯＦＦは緩やかなものとなる。その結果、出力電圧Ｖｏｕｔに発生するオーバーシュートが抑制される。
【００３４】
なお、コンパレータ２１は、入力電圧Ｖｉｎが、出力電圧Ｖｏｕｔより設定電圧Ｖａ分高い第３の電圧より低くなったタイミングでＭＯＳトランジスタＭ２をスイッチＯＦＦしてもよい。逆流直前状態でＭＯＳトランジスタＭ２がスイッチＯＦＦされるので、レギュレータ回路１は、電流の逆流を更に少なくできる。
【００３５】
（実施形態１の具体例３）
図５は、実施形態１のその他の回路構成例である。レギュレータ回路１は、ＭＯＳトランジスタＭ１と、ＭＯＳトランジスタＭ２と、レギュレータ制御回路１０と、スイッチ制御回路２０と、を備える。ＭＯＳトランジスタＭ１、Ｍ２と、レギュレータ制御回路１０は、図３と同じであるので説明を省略する。
【００３６】
スイッチ制御回路２０は、抵抗Ｒ３と、ツェナーダイオードＺ１と、コンパレータ２１と、電流源２２と、接続スイッチ２３と、を備える。抵抗Ｒ３の一端はＭＯＳトランジスタＭ２のソース端子Ｓ２に接続されており、他端はＭＯＳトランジスタＭ２のゲート端子Ｇ２に接続されている。
【００３７】
電流源２２は、電流Ｉ１を出力する電流源である。ＭＯＳトランジスタＭ２がＰｃｈＭＯＳＦＥＴの場合、電流Ｉ１はマイナスの電流である。電流源２２の出力端子は、ゲート端子Ｇ２に接続されている。
【００３８】
接続スイッチ２３は、ゲート端子Ｇ２とソース端子Ｓ２とを接続するためのスイッチである。接続スイッチ２３は、例えばＰｃｈＭＯＳＦＥＴである半導体スイッチから構成される。接続スイッチ２３の一端はソース端子Ｓ２に接続されており、他端はゲート端子Ｇ２に接続されている。接続スイッチ２３は、コンパレータ２１の出力に基づいて、スイッチＯＮまたはスイッチＯＦＦする。
【００３９】
コンパレータ２１は、接続スイッチ２３を制御する。コンパレータ２１のプラス端子は、電源電流路Ｌ１に接続されており、マイナス端子は電源電流路Ｌ３に接続されている。また、コンパレータ２１の出力端子は、接続スイッチ２３の制御端子（例えば、ゲート端子）に接続されている。
【００４０】
電圧Ｖｉｎが電圧Ｖｏｕｔより高くなると、コンパレータ２１は、接続スイッチ２３をスイッチＯＦＦする。そうすると、出力電流Ｉ１により、ゲート端子Ｇ２にマイナスの電圧が印加されるので、ＭＯＳトランジスタＭ２はスイッチＯＮとなる。これにより、レギュレータ回路１は、入力端子ＩＮとＭＯＳトランジスタＭ１とが直接接続されたのとほぼ同じ状態となる。この状態で、レギュレータ制御回路１０の増幅器１１が、帰還電圧Ｖｆｂと基準電圧Ｖｒｅｆの差分電圧に基づいてゲート端子Ｇ１を制御することで、出力電圧Ｖｏｕｔは一定に保たれる。
【００４１】
一方、電圧Ｖｉｎが電圧Ｖｏｕｔより低くなると、コンパレータ２１は、接続スイッチ２３をスイッチＯＮする。そうすると、ソース端子Ｓ２とゲート端子Ｇ２とが短絡されるので、ＭＯＳトランジスタＭ２はスイッチＯＦＦとなる。このとき、ボディダイオードｂ２は、逆流防止ダイオードとして機能する。そのため、レギュレータ回路１に電流の逆流は発生しない。
【００４２】
本実施形態によれば、ソース端子Ｓ２とゲート端子Ｇ２との間に接続スイッチ２３が設けられている。コンパレータ２１が接続スイッチ２３を制御してＭＯＳトランジスタＭ２のソース−ゲート間を短絡することにより、ＭＯＳトランジスタＭ２のスイッチＯＦＦのスピードが速くなる。その結果、レギュレータ回路１は高速な電源の瞬断に対応できる。
【００４３】
なお、コンパレータ２１は、入力電圧Ｖｉｎが出力電圧Ｖｏｕｔより設定電圧Ｖａ分高い第３の電圧より低くなったタイミングで接続スイッチ２３をスイッチＯＮしてもよい。これにより、逆流直前状態でＭＯＳトランジスタＭ２がスイッチＯＦＦされるので、レギュレータ回路１は、電流の逆流を更に少なくできる。しかも、レギュレータ回路１は、出力電圧Ｖｏｕｔに発生するオーバーシュートも抑制できる。
【００４４】
（実施形態１の具体例４）
図６は、実施形態１のその他の回路構成例である。図５のレギュレータ回路１とは、抵抗Ｒ４が設けられている点が異なっている。抵抗Ｒ４は、コンパレータ２１の出力端子とゲート端子Ｇ２との間に設けられている。より具体的には、抵抗Ｒ４は、接続スイッチ２３とゲート端子Ｇ２との間に設けられている。その他の構成は、図３に示す具体例１と同じであるので説明を省略する。
【００４５】
本実施形態によれば、抵抗Ｒ４によりゲート端子Ｇ２に印加される電圧の立ち上がりが緩やかになるので、コンパレータ２１が電流逆流発生後にＭＯＳトランジスタＭ２をスイッチＯＦＦしたとしても、出力電圧Ｖｏｕｔにはほとんどオーバーシュートが発生しない。
【００４６】
なお、コンパレータ２１は、具体例３と同様に、入力電圧Ｖｉｎが出力電圧Ｖｏｕｔより設定電圧Ｖａ分高い第３の電圧より低くなったタイミングで接続スイッチ２３をスイッチＯＮしてもよい。これにより、逆流直前状態でＭＯＳトランジスタＭ２がスイッチＯＦＦされるので、レギュレータ回路１は電流の逆流を更に少なくできる。
【００４７】
（実施形態２）
図７は、実施形態２のレギュレータ回路を示す図である。実施形態２のレギュレータ回路２は、電源電流路Ｌ２の電圧と電源電流路Ｌ３の電圧との比較結果に基づいてＭＯＳトランジスタＭ２を制御する。以下、レギュレータ回路２について説明する。
【００４８】
（実施形態２の具体例１）
図８は、図７に示すレギュレータ回路２の具体的な回路構成例である。レギュレータ回路２は、ＭＯＳトランジスタＭ１と、ＭＯＳトランジスタＭ２と、レギュレータ制御回路１０と、スイッチ制御回路２０と、を備える。ＭＯＳトランジスタＭ１、Ｍ２と、レギュレータ制御回路１０は、図３と同じであるので説明を省略する。
【００４９】
スイッチ制御回路２０は、抵抗Ｒ３と、ツェナーダイオードＺ１と、コンパレータ２１と、を備える。抵抗Ｒ３の一端はソース端子Ｓ２に接続されており、他端はゲート端子Ｇ２に接続されている。
【００５０】
コンパレータ２１は、ＭＯＳトランジスタＭ２を制御する。コンパレータ２１のマイナス端子は電源電流路Ｌ２に接続されており、プラス端子は電源電流路Ｌ３に接続されている。また、出力端子は、ゲート端子Ｇ２に接続されている。電源電流路Ｌ２の電圧Ｖ１が電源電流路Ｌ３の電圧Ｖｏｕｔより低くなると、コンパレータ２１は、電流の逆流が発生したものとして、ＭＯＳトランジスタＭ２への電流Ｉ１の出力を停止する。これにより、ＭＯＳトランジスタＭ２はスイッチＯＦＦし、電流の逆流は抑制される。
【００５１】
本実施形態によれば、入力端子ＩＮとソース端子Ｓ１との間にＭＯＳトランジスタＭ２が配置されているので、レギュレータ回路２は電流の逆流を少なくできる。しかも、レギュレータ回路２は、無駄に回路内部で大きな電圧降下を起こさない。
【００５２】
なお、コンパレータ２１は、実施形態１の具体例１と同様に、電源電流路Ｌ２の電圧Ｖ１が電圧Ｖｏｕｔとは異なる第３の電圧より低くなったタイミングでＭＯＳトランジスタＭ２をスイッチＯＦＦしてもよい。このとき、第３の電圧は、出力電圧Ｖｏｕｔより設定電圧Ｖａ分高い電圧である。設定電圧Ｖａは、例えば、１０ｍＶより大きな電圧である。設定電圧Ｖａは、１００ｍＶより大きな電圧であってもよい。これにより、電流が逆流する前の逆流直前状態（例えば、電圧Ｖ１から設定電圧Ｖａを減じた電圧が電圧Ｖｏｕｔより低い状態）でＭＯＳトランジスタＭ２がスイッチＯＦＦされるので、レギュレータ回路２は電流の逆流を更に少なくできる。
【００５３】
（実施形態２の具体例２）
図９は、実施形態２のレギュレータ回路２のその他の回路構成例である。図４に示す実施形態１の具体例２のレギュレータ回路１とは、コンパレータ２１のマイナス端子が、電源電流路Ｌ２に接続されている点が異なっている。その他の構成は、実施形態１の具体例２のレギュレータ回路１と同じであるので説明を省略する。
【００５４】
本実施形態によれば、抵抗Ｒ４によりゲート端子Ｇ２に印加される電圧の立ち上がりが緩やかになるので、電流逆流後にＭＯＳトランジスタＭ２がスイッチＯＦＦしたとしても、出力電圧Ｖｏｕｔにオーバーシュートがほとんど発生しない。
【００５５】
なお、コンパレータ２１は、実施形態１の具体例２と同様に、電源電流路Ｌ２の電圧Ｖ１が出力電圧Ｖｏｕｔより設定電圧Ｖａ分高い第３の電圧より低くなったタイミングでＭＯＳトランジスタＭ２をスイッチＯＦＦしてもよい。逆流直前状態でＭＯＳトランジスタＭ２がスイッチＯＦＦされるので、レギュレータ回路２は電流の逆流を更に少なくできる。
【００５６】
（実施形態２の具体例３）
図１０は、実施形態２のレギュレータ回路２のその他の回路構成例である。図５に示す実施形態１の具体例３のレギュレータ回路１とは、コンパレータ２１のマイナス端子が、電源電流路Ｌ２に接続されている点が異なっている。その他の構成は、実施形態１の具体例３のレギュレータ回路１と同じであるので説明を省略する
【００５７】
本実施形態によれば、スイッチ制御回路２０が接続スイッチ２３をスイッチＯＮすることにより、ＭＯＳトランジスタＭ２をスイッチＯＦＦしているので、ＭＯＳトランジスタＭ２のスイッチＯＦＦのスピードを速くできる。その結果、レギュレータ回路２は高速な電源の瞬断に対応できる。
【００５８】
なお、コンパレータ２１は、実施形態１の具体例３と同様に、電源電流路Ｌ２の電圧Ｖ１が出力電圧Ｖｏｕｔより設定電圧Ｖａ分高い第３の電圧より低くなったタイミングで接続スイッチ２３をスイッチＯＮしてもよい。これにより、逆流直前状態でＭＯＳトランジスタＭ２がスイッチＯＦＦされるので、レギュレータ回路２は電流の逆流を更に少なくできる。しかも、レギュレータ回路２は出力電圧Ｖｏｕｔに発生するオーバーシュートを抑制できる。
【００５９】
（実施形態２の具体例４）
図１１は、実施形態２のレギュレータ回路２のその他の回路構成例である。図６に示す実施形態１の具体例４のレギュレータ回路１とは、コンパレータ２１のマイナス端子が、電源電流路Ｌ２に接続されている点が異なっている。その他の構成は、図６に示す実施形態１の具体例４のレギュレータ回路１と同じであるので説明を省略する
【００６０】
本実施形態によれば、抵抗Ｒ４によりゲート端子Ｇ２に印加される電圧の立ち上がりが緩やかになるので、電流逆流後にコンパレータ２１がＭＯＳトランジスタＭ２をスイッチＯＦＦしたとしても、出力電圧Ｖｏｕｔにオーバーシュートがほとんど発生しない。
【００６１】
なお、コンパレータ２１は、実施形態１の具体例４と同様に、電源電流路Ｌ２の電圧Ｖ１が出力電圧Ｖｏｕｔより設定電圧Ｖａ分高い第３の電圧より低くなったタイミングで接続スイッチ２３をスイッチＯＮしてもよい。これにより、逆流直前状態でＭＯＳトランジスタＭ２がスイッチＯＦＦされるので、レギュレータ回路２は電流の逆流を更に少なくできる。
【００６２】
（実施形態３）
図１２は、実施形態３のレギュレータ回路を示す図である。実施形態３のレギュレータ回路３は、電流検出回路３０が電流の逆流を検出した場合に、ＭＯＳトランジスタＭ２をスイッチＯＦＦする。以下、レギュレータ回路３について説明する。
【００６３】
（実施形態３の具体例１）
図１３は、図１２に示すレギュレータ回路３の具体的な回路構成例である。レギュレータ回路３は、ＭＯＳトランジスタＭ１と、ＭＯＳトランジスタＭ２と、レギュレータ制御回路１０と、スイッチ制御回路２０と、電流検出回路３０と、を備える。ＭＯＳトランジスタＭ１、Ｍ２と、レギュレータ制御回路１０は、図３と同じであるので説明を省略する。
【００６４】
スイッチ制御回路２０は、ツェナーダイオードＺ１と、電流源２２と、トランジスタ２４と、を備える。ツェナーダイオードＺ１の一端はソース端子Ｓ２に接続されており、他端はゲート端子Ｇ２に接続されている。また、電流源２２の出力端子はゲート端子Ｇ２に接続されている。
【００６５】
トランジスタ２４は、ＰＮＰ型のバイポーラトランジスタである。トランジスタ２４のエミッタ端子はソース端子Ｓ２に接続されており、コレクタ端子はゲート端子Ｇ２及び電流源２２の出力端子に接続されている。また、トランジスタ２４のベース端子は電流検出回路３０の出力端子と接続されている。トランジスタ２４は、電流検出回路３０の出力に基づいて、エミッタ−コレクタ間を接続する。
【００６６】
電流検出回路３０は、電源電流路に流れる電流を検出する。電流検出回路３０は、電流検出抵抗Ｒｓと、トランジスタＱ１〜Ｑ４と、電流源３１と、を備える。
【００６７】
電流検出抵抗Ｒｓは、電源電流路に流れる電流の方向を検出する。電流検出抵抗Ｒｓは、電源電流路Ｌ２に挿入されている。具体的には、電流検出抵抗Ｒｓの一端はソース端子Ｓ２に接続されており、他端はソース端子Ｓ１に接続されている。なお、電流検出抵抗Ｒｓは、電流の方向を検出するためだけの抵抗であるので、微小抵抗であってもよい。例えば、電流検出抵抗Ｒｓは、ＭＯＳトランジスタＭ２とＭＯＳトランジスタＭ１とを接続する配線が有する微小な抵抗であってもよい。配線が有する微小な抵抗をそのまま電流検出抵抗Ｒｓとして利用することで、追加の抵抗によりレギュレータ回路３が無駄に大きな電圧降下を起こすことを防止できる。
【００６８】
トランジスタＱ１〜Ｑ４は、電流検出抵抗Ｒｓに流れる電流を検出する。トランジスタＱ１とＱ２は、ＮＰＮ型のバイポーラトランジスタであり、トランジスタＱ３とＱ４は、ＰＮＰ型のバイポーラトランジスタである。
【００６９】
トランジスタＱ１のエミッタ端子は電流源３１の出力端子と接続されており、コレクタ端子はトランジスタＱ３のコレクタ端子、及びトランジスタＱ１〜Ｑ４のベース端子と接続されている。また、トランジスタＱ２のエミッタ端子は、電流源３１の出力端子と接続されており、コレクタ端子はトランジスタＱ４のコレクタ端子、及びトランジスタ２４のベース端子と接続されている。また。トランジスタＱ３のエミッタ端子は電流検出抵抗Ｒｓの一端（トランジスタＭ１側）と接続されており、コレクタ端子はトランジスタＱ１のコレクタ端子、及びトランジスタＱ１〜Ｑ４のベース端子と接続されている。また、トランジスタＱ４のエミッタ端子は電流検出抵抗Ｒｓの一端（トランジスタＭ２側）と接続されており、コレクタ端子はトランジスタＱ２のコレクタ端子、及びトランジスタ２４のベース端子と接続されている。いずれのトランジスタも、ベース端子は他のトランジスタのベース端子と接続されている。
【００７０】
電流源３１は、電流Ｉ２を出力する。電流源３１の出力端子は、トランジスタＱ１とＱ２のエミッタ端子と接続されている。
【００７１】
レギュレータ回路３のその他の構成は、図３に示す実施形態１の具体例１のレギュレータ回路１と同じであるので説明を省略する。
【００７２】
次に、このような構成を有するレギュレータ回路３の動作について説明する。
入力端子ＩＮに電源電圧が印加されると、電流検出抵抗Ｒｓには順方向に電流が流れる。そうすると、トランジスタＱ４のエミッタ電圧Ｖ１はトランジスタＱ３のエミッタ電圧Ｖ２より高くなるので、トランジスタＱ４はエミッタ−コレクタ間を接続する。そうすると、トランジスタ２４は、エミッタとベースが接続されるので、スイッチＯＦＦとなる。そうなると、電流源２２によりゲート端子Ｇ２にマイナスの電圧が印加されるので、ＭＯＳトランジスタＭ２はスイッチＯＮとなる。これにより、ＭＯＳトランジスタＭ２のソース―ドレイン間が接続されるので、入力端子ＩＮとＭＯＳトランジスタＭ１との間で大きな電圧降下は起こらない。
【００７３】
一方、入力端子ＩＮへの電源電圧の印加が停止されると、電流検出抵抗Ｒｓには逆方向に電流が流れる。そうすると、トランジスタＱ４のエミッタ電圧Ｖ１はトランジスタＱ３のエミッタ電圧Ｖ２より低くなるので、トランジスタＱ４はエミッタ−コレクタ間を切断する。そうすると、トランジスタ２４のベース電圧が低下するので、トランジスタ２４はスイッチＯＮとなる。そうなると、ゲート端子Ｇ２の電圧は上昇するので、ＭＯＳトランジスタＭ２はスイッチＯＦＦとなる。このとき、ボディダイオードｂ２が逆流防止ダイオードとして機能するので、電流の逆流は抑制される。
【００７４】
本実施形態によれば、入力端子ＩＮとＭＯＳトランジスタＭ１との間に、ボディダイオードｂ２の向きがボディダイオードｂ１の向きとは逆向きとなるように、ＭＯＳトランジスタＭ２が配置され、そして、電流検出回路３０が電流の逆流を検出した時にスイッチ制御回路２０がＭＯＳトランジスタＭ２をスイッチＯＦＦしているので、電源切断時等の電流の逆流を少なくできる。しかも、電流が逆流していない通常動作時には、スイッチ制御回路２０はＭＯＳトランジスタＭ２をスイッチＯＮするので、レギュレータ回路３は、無駄に回路内部で大きな電圧降下を起こさない。
【００７５】
なお、トランジスタＱ３のエミッタの面積はトランジスタＱ４のエミッタ面積より大きくてもよい。例えば、トランジスタＱ３のエミッタの面積はトランジスタＱ４のエミッタ面積の２倍であってもよい。これにより、入力端子ＩＮから出力端子ＯＵＴに向かう電流（以下、「順方向電流」という。）がゼロになる前の微小電流状態（すなわち、逆流直前状態）のときにＭＯＳトランジスタＭ２がスイッチＯＦＦされるので、レギュレータ回路３は電流の逆流を更に少なくできる。しかも、レギュレータ回路３は出力電圧Ｖｏｕｔに発生するオーバーシュートを小さくできる。
【００７６】
（実施形態３の具体例２）
図１４は、実施形態３のその他の回路構成例である。レギュレータ回路３は、ＭＯＳトランジスタＭ１と、ＭＯＳトランジスタＭ２と、レギュレータ制御回路１０と、スイッチ制御回路２０と、電流検出回路３０と、を備える。ＭＯＳトランジスタＭ１、Ｍ２と、レギュレータ制御回路１０と、スイッチ制御回路２０は、実施形態３の具体例１と同じであるので説明を省略する。
【００７７】
電流検出回路３０は、電源電流路に流れる電流を検出する。電流検出回路３０は、ＭＯＳトランジスタＭ３と、電流検出抵抗Ｒｓと、トランジスタＱ１〜Ｑ４と、電流源３１と、を備える。トランジスタＱ１〜Ｑ４と、電流源３１は、実施形態３の具体例１と同じである。
【００７８】
ＭＯＳトランジスタＭ３は、エンハンスメント型のＰｃｈＭＯＳＦＥＴである。ＭＯＳトランジスタＭ３は、電源電流路Ｌ１〜Ｌ３とは異なる電流路に配置されている。ＭＯＳトランジスタＭ３のドレイン端子Ｄ３は、出力端子ＯＵＴと接続されており、ソース端子Ｓ３は、電流検出抵抗Ｒｓの一端及びトランジスタＱ３のエミッタと接続されている。また、ゲート端子Ｇ３は、レギュレータ制御回路１０の出力と接続されている。なお、ＭＯＳトランジスタＭ３はＮｃｈＭＯＳＦＥＴであってもよい。この場合、ソース端子Ｓ３は出力端子ＯＵＴに接続され、ドレイン端子Ｄ３は電流検出抵抗Ｒｓの一端及びトランジスタＱ３のエミッタに接続される。
【００７９】
電流検出抵抗Ｒｓは、電源電流路に流れる電流の方向を検出するための抵抗である。電流検出抵抗Ｒｓの一端はソース端子Ｓ２及びトランジスタＱ４のエミッタに接続されており、他端はＭＯＳトランジスタＭ３のソース端子Ｓ３に接続されている。
【００８０】
本実施形態によれば、電流検出回路３０が電流の逆流を検出した時にスイッチ制御回路２０がＭＯＳトランジスタＭ２をスイッチＯＦＦしているので、電源切断時等の電流の逆流を少なくできる。しかも、通常動作時には、スイッチ制御回路２０がＭＯＳトランジスタＭ２をスイッチＯＮするので、レギュレータ回路３は無駄に回路内部で大きな電圧降下を起こさない。
【００８１】
なお、トランジスタＱ３のエミッタの面積はトランジスタＱ４のエミッタ面積より大きくてもよい。これにより、電流が逆流する前の逆流直前状態のときにＭＯＳトランジスタＭ２がスイッチＯＦＦされるので、レギュレータ回路３は電流の逆流を更に少なくできる。しかも、レギュレータ回路３は出力電圧Ｖｏｕｔに発生するオーバーシュートも小さくできる。
【００８２】
（実施形態３の具体例３）
図１５は、実施形態３のその他の回路構成例である。図１３に示す実施形態３の具体例１のレギュレータ回路３とは、トランジスタ２４が接続スイッチ２３に置き換わっている点、並びに、トランジスタＱ１〜Ｑ４及び電流源３１がコンパレータ３２に置き換わっている点が異なっている。
【００８３】
接続スイッチ２３の一端はソース端子Ｓ２に接続されており、他端はゲート端子Ｇ２に接続されている。また、コンパレータ３２のプラス端子は、電流検出抵抗Ｒｓの一端（トランジスタＭ２側）に接続されており、マイナス端子は電流検出抵抗Ｒｓの他端（トランジスタＭ１側）に接続されている。また、コンパレータ３２の出力端子は、接続スイッチ２３の制御端子（接続スイッチ２３がＭＯＳトランジスタなのであれば、ゲート端子）に接続されている。コンパレータ３２は、マイナス端子電圧がプラス端子電圧より低くなると、接続スイッチ２３をＯＦＦし、マイナス端子電圧がプラス端子電圧より高くなると、接続スイッチ２３をＯＮする。
【００８４】
入力端子ＩＮに電源電圧が印加されると、電流検出抵抗Ｒｓには順方向に電流が流れる。そうすると、コンパレータ３２のマイナス端子電圧はプラス端子電圧より低くなるので、コンパレータ３２は、接続スイッチ２３をスイッチＯＦＦする。そうすると、ゲート端子Ｇ２にマイナスの電圧が印加されるので、ＭＯＳトランジスタＭ２はスイッチＯＮとなる。これにより、ソース―ドレイン間が接続されるので、入力端子ＩＮとＭＯＳトランジスタＭ１との間で大きな電圧降下は起こらない。
【００８５】
一方、入力端子ＩＮへの電源電圧の印加が停止されると、電流検出抵抗Ｒｓには逆方向に電流が流れる。そうすると、コンパレータ３２のマイナス端子電圧はプラス端子電圧より高くなるので、コンパレータ３２は、接続スイッチ２３をスイッチＯＮする。そうすると、ソース端子Ｓ２とゲート端子Ｇ２とが短絡されるので、ＭＯＳトランジスタＭ２はスイッチＯＦＦとなる。このとき、ボディダイオードｂ２は、ボディダイオードｂ１とは反対向きとなっているので、逆流防止ダイオードとして機能する。そのため、レギュレータ回路３に電流の逆流は発生しない。
【００８６】
本実施形態によれば、電流検出回路３０が電流の逆流を検出した時にスイッチ制御回路２０がＭＯＳトランジスタＭ２をスイッチＯＦＦしているので、電源切断時等の電流の逆流を少なくできる。しかも、通常動作時には、スイッチ制御回路２０がＭＯＳトランジスタＭ２をスイッチＯＮするので、レギュレータ回路３は無駄に回路内部で大きな電圧降下を起こさない。
【００８７】
（実施形態３の具体例４）
図１６は、実施形態３のその他の回路構成例である。図１４に示す実施形態３の具体例２のレギュレータ回路３とは、トランジスタ２４が接続スイッチ２３に置き換わっている点、並びに、トランジスタＱ１〜Ｑ４及び電流源３１がコンパレータ３２に置き換わっている点が異なっている。接続スイッチ２３及びコンパレータ３２の動作は、実施形態３の具体例３で説明した接続スイッチ２３及びコンパレータ３２と同様である。
【００８８】
本実施形態によれば、電流検出回路３０が電流の逆流を検出した時にスイッチ制御回路２０がＭＯＳトランジスタＭ２をスイッチＯＦＦしているので、電源切断時等の電流の逆流を少なくできる。しかも、通常動作時には、スイッチ制御回路２０がＭＯＳトランジスタＭ２をスイッチＯＮするので、レギュレータ回路３は無駄に回路内部で大きな電圧降下を起こさない。
【００８９】
なお、上述の各実施形態は種々の変更及び応用が可能である。
【００９０】
例えば、上述の各実施形態では、ＭＯＳトランジスタＭ１とＭ２は、いずれもＰｃｈＭＯＳＦＥＴであるものとして説明したが、例えば図１７、図１８及び図１９に示すように、ＭＯＳトランジスタＭ１とＭ２はＮｃｈＭＯＳＦＥＴであってもよい。あるいは、ＭＯＳトランジスタＭ１とＭ２のいずれか一方がＮｃｈＭＯＳＦＥＴであってもよい。
【００９１】
また、上述の各実施形態では、ＭＯＳトランジスタＭ１とＭ２は、いずれもエンハンスメント型のＭＯＳＦＥＴであるものとして説明したが、ＭＯＳトランジスタＭ１とＭ２は、デプレッション型のＭＯＳＦＥＴであってもよい。
【００９２】
また、コンパレータ２１、３２はヒステリシス付であってもよい。この場合、レギュレータ回路１〜３は、ＯＮ／ＯＦＦ切り替え閾値近傍での、ＭＯＳトランジスタＭ２の誤動作を防ぐことができる。
【００９３】
また、上述の各実施形態では、レギュレータ回路１〜３は、車載用のレギュレータであるものとして説明したが、レギュレータ回路１〜３は車載用のレギュレータに限られない。例えば、家電機器等の電気機器に搭載されるレギュレータ回路であってもよい。
【００９４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【００９５】
１、２、３...レギュレータ回路
１０...レギュレータ制御回路
１１...増幅器
２０...スイッチ制御回路
２１、３２...コンパレータ
２２、３１...電流源
２３...接続スイッチ
２４...トランジスタ
３０...電流検出回路
ｂ１、ｂ２、ｂ３...ボディダイオード
Ｌ１、Ｌ２、Ｌ３...電源電流路
Ｍ１、Ｍ２、Ｍ３...ＭＯＳトランジスタ
Ｑ１、Ｑ２、Ｑ３、Ｑ４...トランジスタ
Ｒ１、Ｒ２、Ｒ３、Ｒ４...抵抗
Ｒｓ...電流検出抵抗
Ｚ１...ツェナーダイオード
【図１】
0006309855.tif 000002
【図２】
0006309855.tif 000003
【図３】
0006309855.tif 000004
【図４】
0006309855.tif 000005
【図５】
0006309855.tif 000006
【図６】
0006309855.tif 000007
【図７】
0006309855.tif 000008
【図８】
0006309855.tif 000009
【図９】
0006309855.tif 000010
【図１０】
0006309855.tif 000011
【図１１】
0006309855.tif 000012
【図１２】
0006309855.tif 000013
【図１３】
0006309855.tif 000014
【図１４】
0006309855.tif 000015
【図１５】
0006309855.tif 000016
【図１６】
0006309855.tif 000017
【図１７】
0006309855.tif 000018
【図１８】
0006309855.tif 000019
【図１９】
0006309855.tif 000020